(57)【特許請求の範囲】
【請求項１】
合成樹脂材料からなるディスク基板の一主面に情報信号記録層が形成されたディスクプレートを備え、このディスクプレートの一主面側に、ディスク基板と同一材質で形成され、かつディスクプレートの外周部を支持するディスクプレート支持部を有する裏打ち板が貼着され、
前記ディスク基板と前記裏打ち板が共にポリカーボネート、ポリメチルメタクリエート、ポリオレフィンの合成樹脂何れか一つからなり、
前記裏打ち板の表面に記号が記入される記入部が設けられたことを特徴とする情報信号記録ディスク。
【請求項２】
上記ディスクプレートと上記裏打ち板の中央部に配設されたセンターハブが備えられていることを特徴とする請求項１記載の情報信号記録ディスク。
【発明の詳細な説明】
【０００１】
【発明の属する技術分野】
本発明は、光ディスク、光磁気ディスク等のように、楽音信号や映像信号等の情報信号の記録を可能とする円盤状の情報信号記録ディスクに関する。
【０００２】
【従来の技術】
従来、光ディスクや光磁気ディスクの如く楽音信号や映像信号等所望の情報信号が記録される情報信号記録ディスクが提案されている。
【０００３】
この情報信号記録ディスクは、円盤状に形成されたディスクプレートと、このディスクプレートに穿設されたセンター孔に収納配設された金属材料からなるセンターハブとから構成されている。
【０００４】
このディスクプレートは、一般にポリカーボネート、ポリメチルメタクリレート等の透明な合成樹脂材料によって形成されるディスク基板と、このディスク基板の一方の主面上に成膜形成されて所望の情報信号が記録される情報信号記録層と、この情報信号記録層上に被覆形成されてこの情報信号記録層を機械的及び化学的に保護する保護層と、この保護層上に印刷された印刷層とから構成されている。
【０００５】
ディスクプレートは、印刷層の一方の主面に、タイトル等の記号が記入される記入部が設けられ、この記入部にユーザによってフェルトペン等のペン先の柔らかいペンでタイトル或いは使用日等が記入される。
【０００６】
また、ディスクプレートは、ディスク基板の一方の主面の裏側に位置する他方の主面を情報信号の書き込み読み出し面とされ、この書き込み読み出し面側から情報信号記録層に光ビームを照射することによって情報信号の記録再生が行われる。
【０００７】
【発明が解決しようとする課題】
ところで、上述した従来の情報信号記録ディスクにおいては、この保護層が非常に吸湿性の低い樹脂によって形成されているため、ディスク基板の保護層側の一方の主面と書き込み読み出し面側の他方の主面とで、湿度の変化に伴ってディスク基板中に含まれる水分量に差が生じる。このため、情報信号記録ディスクは、ディスクプレートがディスク基板中に含まれる水分量に依存した膨張或いは収縮をして反り等の変形を生じ、サーボエラー或いはデータエラーに影響を及ぼすといった問題点があった。
【０００８】
また、情報信号記録ディスクでは、保護層及び印刷層の硬度が比較的低いため、ボールペン等のペン先の硬度が高いペンで記入部にタイトル等の記号を記入すると、情報信号記録層を損傷させるおそれがあった。このため、情報信号記録ディスクでは、この記入部にラベルを貼着することが考えられるが、ディスク回転駆動装置に装着されて高速で回転操作されると、ディスク回転駆動装置側のディスクテーブルに対して重量バランスが狂ってしまい、回転駆動動作が安定しないといった問題点があった。
【０００９】
また、情報信号記録ディスクでは、印刷層と品名等とを印刷する少なくとも２種類の印刷工程が必要になり、製造作業が煩雑となっていた。
【００１０】
したがって、本発明は、ディスクプレートが変形することを防止するとともに、記入時において記入部が損傷することを防止する情報信号記録ディスクを提供することを目的に提案されたものである。
【００１１】
【課題を解決するための手段】
この目的を達成した本発明に係る情報信号記録ディスクは、合成樹脂材料からなるディスク基板の一主面に情報信号記録層が成膜形成されたディスクプレートを備える。このディスクプレートは、上記一主面側に、ディスク基板と同一材質であり、ディスクプレートの外周部を支持するディスクプレート支持部を有する裏打ち板が貼着される。
そして、ディスク基板と裏打ち板が共にポリカーボネート、ポリメチルメタクリエート、ポリオレフィンの合成樹脂何れか一つからなっている。
また、情報信号記録ディスクは裏打ち板の表面に文字、数字、絵図等の記号が記入される記入部が設けられる。
【００１２】
さらに、情報信号記録ディスクは、ディスクプレートと裏打ち板の中央部に配設されたセンターハブを備えている。
【００１３】
以上のように構成された本発明に係る情報信号記録ディスクによれば、湿度による反り等の変形がディスク基板と裏打ち板とで相殺されて生じず、ディスク回転駆動装置に装着されて安定して回転駆動動作される。
【００１４】
【発明の実施の形態】
以下、本発明の具体的な実施の形態について、図１乃至図４の図面を参照して詳細に説明する。本発明の実施の形態として示す情報信号記録ディスク１は、図１に示すように、円盤状に形成されたディスクプレート２と、このディスクプレート２の一方の主面２Ａに取り付けられて円盤状に形成された裏打ち板３と、ディスクプレート２と裏打ち板３との中央部に配設されたセンターハブ４とを備えている。
【００１５】
ディスクプレート２は、図２に示すように１．２ｍｍ程度の厚さ寸法をもって形成され、ディスク基板５と、情報信号記録層６と、保護層７とが順に積層成膜されてなる。ディスク基板５は、温度或いは湿度による収縮膨張率が極小さい材質によって形成されている。したがって、ディスク基板５は、光透過特性に優れたポリカーボネート、ポリメチルメタクリレート、ポリオレフィン等の合成樹脂材料によって円盤状に形成されている。情報信号記録層６は、ディスク基板５の一方の主面５Ａ上に成膜形成されおり、所望の情報信号が記録される。保護層７は、情報信号記録層６上に被覆形成されており、この情報信号記録層６を機械的及び化学的に保護する。
【００１６】
裏打ち板３は、図３に示すように、温度或いは湿度による収縮膨張率がディスク基板５と同等に極小さい材質によって形成されている。したがって、裏打ち板３は、ディスク基板５と同一材質であるポリカーボネート、ポリメチルクリレート、ポリオレフィン等の合成樹脂によって形成されている。また、裏打ち板３は、直径寸法がディスクプレート２の直径寸法よりやや大とされ、厚さ寸法がディスクプレート２の厚さ寸法と略等しいとされた略円盤状に形成されている。
【００１７】
裏打ち板３は、一方の主面３Ａにタイトル等の記号が記入される記入部８が設けられている。この記入部８には、品名、罫線等が形成されている。裏打ち板３は、図１に示すように、記入部８の裏側に位置する他方の主面３Ｂ側の外周縁に沿ってディスクプレート支持部９が一体に突出形成されている。このディスクプレート支持部９は、ディスクプレート２の厚さ寸法と略等しい厚さ寸法とされている。
【００１８】
裏打ち板３は、図１に示すように、他方の主面３Ｂ側が情報信号記録層６と保護層７とを介してディスク基板５に貼着されて固定されている。この際に、裏打ち板３は、接着剤或いは両面テープ等によって貼着されている。裏打ち板３は、図４に示すように、ディスクプレート支持部９によって、ディスクプレート２の外周部２Ｃを支持して、情報信号記録ディスク１を立て置きした場合のディスクプレート２の保護を図っている。
【００１９】
ディスクプレート２と裏打ち板３とは、中央部に、情報信号記録層６に同心円上または螺旋状に形成される記録トラックの曲線中心に中心を一致させるようにして、センター孔１０、１１が穿設されている。
【００２０】
センターハブ４は、図１に示すように、ディスクプレート２及び裏打ち板３のセンター孔１０、１１に嵌合される略筒状の嵌合部１２と、この嵌合部１２の一方の周縁部１２Ａに固定された略円盤状の磁性板１３とから構成されている。センターハブ４は、図４に示すように、嵌合部１２がディスクプレート２及び裏打ち板３のセンター孔１０、１１に差し込まれて取り付けられている。
【００２１】
以上のように構成された実施の形態情報信号記録ディスク１は、センターハブ４の磁性板１３が、ディスク回転駆動機構を構成するディスクテーブル側に配設されたマグネットで吸引され、ディスクテーブルにチャッキングされる。また、情報信号記録ディスク１は、センターハブ４の磁性板１３に設けられた係合孔１４が、上記ディスクテーブルの中心部に配設されたセンタリング部材によって係合されて、ディスク回転駆動装置に装着され、高速で回転操作される。
【００２２】
情報信号記録ディスク１は、高速で回転操作された状態で、ディスク基板５の一方の主面５Ａの裏側に位置する他方の主面である情報信号の書き込み読み出し面５Ｂ側から情報信号記録層６に設けられた微細な記録トラックに、光ピックアップから出射される光ビームを照射し、所望の情報信号の記録が行われる。
【００２３】
上述した実施の形態情報信号記録ディスク１によれば、ディスクプレート２を構成するディスク基板５に、情報信号記録層６と保護層７とを介して、ディスク基板５と同一材質の裏打ち板３を貼着して固定したことにより、裏打ち板３の吸湿性がディスク基板５の吸湿性と同等のため、ディスクプレート２の反り等の変形がディスク基板と裏打ち板とで相殺されて防止される。
【００２４】
また、この情報信号記録ディスク１によれば、ディスク基板５と裏打ち板３との吸湿性が非常に低いため、情報信号記録層６の耐腐食性の向上が図られる。
【００２５】
さらにまた、この情報信号記録ディスク１によれば、硬度が比較的高い裏打ち板３に、タイトル等の記号が記入される記入部が設けられたことにより、ボールペン等のペン先の硬度が高いペンで記入部８にタイトル等の記号を記入しても情報信号記録層６に対する保護が図られ、様々な筆記具によって記入することが可能とされるとともに、印刷工程の削減による製造作業の効率の向上が図られる。
【００２６】
さらに、この情報信号記録ディスク１によれば、ラベルが不要とされて回転駆動動作の安定性が図られる。
【００２７】
さらにまた、この情報信号記録ディスク１によれば、重量バランスが許容される範囲でラベルを使用する場合であっても、このラベルの繰り返し行われる貼り換えに対する耐久性が高く、ラベルの貼り換えに対する情報信号記録膜等の保護が図られる。
【００２８】
さらにまた、この情報信号記録ディスク１によれば、例えば記入部８にカラー印刷等を施す場合、ディスクプレート２に裏打ち板３を貼着する前に、予め裏打ち板３の一方の主面３Ａに印刷することが可能とされ、ディスクプレート２が印刷によるダメージから防止される。
【００３０】
なお、本発明は、上述した実施の形態情報信号記録ディスク１以外にも、光ディスク、光磁気ディスク、カートリッジに収納された情報信号記録ディスク等にも適用される。
【００３１】
【発明の効果】
上述したように、本発明に係る情報信号記録ディスクによれば、このディスクプレートの一方の主面上の情報信号記録層の裏側に位置する他方の主面上に、ディスク基板と同一材質の裏打ち板を貼着したことにより、裏打ち板がディスク基板と同等の吸湿性を持っているため、ディスクプレートの反り等の変形が防止される。
【００３２】
また、この情報信号記録ディスクによれば、ディスク基板と裏打ち板との吸湿性が非常に低いため、情報信号記録層の耐腐食性の向上が図られる。
さらに、裏打ち板は、ディスクプレートの外周部を支持するディスクプレート支持部を有するので、情報信号記録ディスクを立て置きにした場合はディスクプレートの保護を図ることができる。
【００３３】
さらにまた、本発明に係る情報信号記録ディスクによれば、硬度が比較的高い裏打ち板に、記号が記入される記入部が設けられたことにより、ボールペン等のペン先の硬度が高いペンで記入部にタイトル等の記号を記入しても情報信号記録層に対する保護が図られるとともに、印刷工程の削減による製造作業の効率の向上が図られる。
【００３４】
さらに、この情報信号記録ディスクによれば、ラベルが不要とされて回転駆動動作の安定性が図られる。
【００３５】
さらにまた、この情報信号記録ディスクによれば、重量バランスが許容される範囲でラベルを使用する場合であっても、このラベルの繰り返し行われる貼り換えに対する耐久性が高く、ラベルの貼り換えに対する情報信号記録膜等の保護が図られる。
【００３６】
さらにまた、この情報信号記録ディスクによれば、ディスクプレートに貼着される前に、予め裏打ち板の一方の主面に品名、罫線等が形成された記入部が設けられたことにより、品名等の印刷によるディスクプレートのダメージから防止されるとともに、印刷工程の削減による生産効率の向上が図られる。
【００３７】
さらにまた、この情報信号記録ディスクによれば、例えば記入部にカラー印刷等を施す場合、ディスクプレートに裏打ち板を貼着する前に、予め裏打ち板の一方の主面に印刷することが可能とされ、ディスクプレートが印刷によるダメージから防止される。
また、情報信号記録ディスクが備えるセンターハブは、センターハブの嵌合部がディスクプレート及び裏打ち板のセンター孔に差し込まれて取り付けられるので、これにより、ディスクプレートと裏打ち板の中心合わせが極めて簡単にできる。
【図面の簡単な説明】
【図１】本発明に係る実施の形態情報信号記録ディスクを示す縦断面図である。
【図２】同情報信号記録ディスクを示す要部拡大縦断面図である。
【図３】同情報信号記録ディスクの裏打ち板を示す底面側から見た平面図である。
【図４】同情報信号記録ディスクを示す平面図である。
【符号の説明】
１  情報信号記録ディスク
２  ディスク基板
３  ディスクプレート
６  情報信号記録層
【図１】
0003596109.tif 000002
【図２】
0003596109.tif 000003
【図３】
0003596109.tif 000004
【図４】
0003596109.tif 000005